(57)【要約】      （修正有）【課題】電気工事や建築工事などにおけるその工事の種類に応じて必要な配線器具、金物、補修・結束具、釘、ネジ類などの物品を簡単に収納しておくことができ、さらに収納した物品を入れ替えるときに作業者が怪我をすることなく、その物品の入れ替えが非常に簡単に行え、しかもビット、釘、ナイフなどの鋭利な物品を収納した場合にも底が破れたり、抜けてしまったりすることがなく耐久性に優れた道具入れを提供する。【解決手段】上面開口で、収納物品の鋭利な部分が接触しても損傷しにくく、形態保持可能な収納ケース１と、上面開口で、支持体Ｓを備え、形態保持不可能な外袋体２とからなり、前記収納ケース１を前記外袋体２に挿脱自在として保持したものとしている。【選択図】図２
2007135992.tif 000002
【特許請求の範囲】
【請求項１】
上面開口で、収納物品の鋭利な部分が接触しても損傷しにくく、形態保持可能な収納ケース（１）と、上面開口で、支持体（Ｓ）を備え、形態保持不可能な外袋体（２）とからなり、前記収納ケース（１）を前記外袋体（２）に挿脱自在として保持したことを特徴とする道具入れ。
【請求項２】
前記収納ケース（１）の開口端部（１ａ）と前記外袋体（２）の開口端部（２ａ）とを着脱自在にしたことを特徴とする請求項１記載の道具入れ。
【請求項３】
面接着ファスナー（５）の一方（５ａ）とした摘まみ片（４）の後端部（４ｂ）を、前記収納ケース（１）の開口端部（１ａ）に固定し、面接着ファスナー（５）の他方（５ｂ）を前記外袋体（２）の開口端部（２ａ）に固定したものとし、面接着ファスナー（５）の一方（５ａ）と他方（５ｂ）を着脱自在に接着するようにして、前記収納ケース（１）の開口端部（１ａ）と前記外袋体（２）の開口端部（２ａ）とを着脱自在にしたことを特徴とする請求項２記載の道具入れ。
【請求項４】
前記支持体（Ｓ）が手提げ（１１）であることを特徴とする請求項１〜３のいずれかに記載の道具入れ。
【請求項５】
前記支持体（Ｓ）が前掛け（１２）であることを特徴とする請求項１〜３のいずれかに記載の道具入れ。
【請求項６】
前記支持体（Ｓ）が衣服（１３）であることを特徴とする請求項１〜３のいずれかに記載の道具入れ。
【発明の詳細な説明】
【技術分野】
【０００１】
この発明は、電気工事や建築工事などにおいて、配線器具、金物、補修・結束具、ビット、釘、ネジ類などの工事に必要な各種物品や、ドライバー、スパナ、ペンチ、ナイフなどの作業工具類を収納する道具入れに関するものである。
【背景技術】
【０００２】
従来、例えば図９に示したように、電気工事現場等で電気工具、工事材料、設計図などを収納するための物入れとして使用することができるバッグが存在する。このバッグは、柔軟な素材よりなる有底筒状体２１の胴体部２１ａ内周に、図１０に示したようなコイルばね２２の巻胴部２２ａを接するようにして配設し、この有底筒状体２１を上下方向に伸縮自在としたものにしている（特許文献１）。
【０００３】
このように構成したバッグは、有底筒状体２１の胴体部２１ａ内でコイルばね２２が邪魔になることなく、この胴体部２１ａ内を広く使うことができるとしている。そして、使用時にはその全体が立体形状に自立維持することができ、収納物の出し入れ等がし易く便利なものとなり、不使用時には小さく折り畳んで嵩の低いものにしておくことができ、保管しておくのに広いスペースが不要で便利なものになるとしている。
【特許文献１】特開２００１−１１２５２８号公報（第２、３頁、図１、２）
【発明の開示】
【発明が解決しようとする課題】
【０００４】
しかしながら、上記従来のバッグでは、収納した物品を入れ替える場合には、有底筒状体２１内に手を差し込んで掴んだり、有底筒状体２１を引っ繰り返して逆さまにしないと、収納した物品を有底筒状体２１内から取り出すことができず、ビット、釘、ナイフなどの鋭利な物品に手が触れるなどして作業者が怪我をしたり、また収納した物品を入れ替えるのが非常に面倒であるという問題点を有していた。
【０００５】
さらに、上記従来のバッグでは、有底筒状体２１を比較的丈夫な素材で形成したとしても、柔軟な素材よりなるものとしているため、ビット、釘、ナイフなどの鋭利な物品を収納した場合には、有底筒状体２１の底が破れたり、抜けてしまったりすることがあるという問題点を有していた。
【０００６】
そこで、この発明は、上記従来の問題点を解決することをその課題としており、電気工事や建築工事などにおけるその工事の種類に応じて必要な配線器具、金物、補修・結束具、釘、ネジ類などの物品を簡単に収納しておくことができ、さらに収納した物品を入れ替えるときに作業者が怪我をすることなく、その物品の入れ替えが非常に簡単に行え、しかもビット、釘、ナイフなどの鋭利な物品を収納した場合にも底が破れたり、抜けてしまったりすることがなく耐久性に優れた道具入れを提供することを目的としてなされたものである。
【課題を解決するための手段】
【０００７】
そのため、この発明の道具入れは、上面開口で、収納物品の鋭利な部分が接触しても損傷しにくく、形態保持可能な収納ケース１と、上面開口で、支持体Ｓを備え、形態保持不可能な外袋体２とからなり、前記収納ケース１を前記外袋体２に挿脱自在として保持したものとしている。
【０００８】
さらに、この発明の道具入れは、前記収納ケース１の開口端部１ａと前記外袋体２の開口端部２ａとを着脱自在にしている。
【０００９】
また、この発明の道具入れは、前記収納ケース１の開口端部１ａと前記外袋体２の開口端部２ａとを着脱自在にするには、面接着ファスナー５の一方５ａとした摘まみ片４の後端部４ｂを、前記収納ケース１の開口端部１ａに固定し、面接着ファスナー５の他方５ｂを前記外袋体２の開口端部２ａに固定したものとし、面接着ファスナー５の一方５ａと他方５ｂを着脱自在に接着するようにしている。
【００１０】
そして、この発明の道具入れは、前記支持体Ｓを手提げ１１としたり、前掛け１２としたり、衣服１３としている。
【発明の効果】
【００１１】
この発明の道具入れは、以上に述べたように構成されており、電気工事や建築工事などにおけるその工事の種類に応じて必要な配線器具、金物、補修・結束具、釘、ネジ類などの物品を簡単に収納しておくことができ、さらに収納した物品を入れ替えるときに作業者が怪我をすることなく、その物品の入れ替えが非常に簡単に行え、しかもビット、釘、ナイフなどの鋭利な物品を収納した場合にも底が破れたり、抜けてしまったりすることがなく耐久性に優れたものとなる。また、この発明の道具入れは、不使用時には外袋体２から収納ケース１を外しておけば、外袋体２を折り畳むなどして嵩を低くした状態で保管しておけるものとなり、収納ケース１も物品を収納したまま棚などに整理分類して保管しておけるものとなる。
【発明を実施するための最良の形態】
【００１２】
以下、この発明の道具入れを実施するための最良の形態を、図面に基づいて詳細に説明する。
【００１３】
この発明の道具入れは、図１に示したように、上面開口で箱状体とした収納ケース１と、上面開口とした外袋体２とからなり、前記収納ケース１を前記外袋体２に挿脱自在として保持したものとし、前記収納ケース１の開口端部１ａと前記外袋体２の開口端部２ａとを着脱自在にしている。
【００１４】
前記収納ケース１は、外袋体２に丁度収納できる大きさにしており、図示したものでは、箱状体としているが、底付きの円筒形状や角筒形状など、各種の形状にすることができるのはいうまでもない。
【００１５】
なお、前記収納ケース１の開口端部１ａと前記外袋体２の開口端部２ａとは着脱自在にしなくても、ただ単に収納ケース１を外袋体２に挿脱自在として保持したものとしてもよい。さらに、前記収納ケース１を外袋体２に挿脱操作するときに、収納ケース１を手で掴んだり、指で引っ掛けたりできるように、この開口端部１ａの一部または全部を外袋体２の開口端部２ａから突出させたり、収納ケース１の開口端部１ａに摘み（図示せず）を設けたり、さらにこの開口端部１ａの近辺に指挿入穴（図示せず）を設けたりすることができる。
【００１６】
前記収納ケース１は、形態保持可能で、ビット、釘、ナイフなどの鋭利な物品を収納した場合に、これら物品の鋭利な部分が接触したとしても、損傷しにくい金属または合成樹脂などからなるものとしている。収納ケース１を金属にした場合は、アルミニウム合金などの軽金属とするのが好ましい。
【００１７】
前記外袋体２は、帆布、天然皮革、合成皮革、合成樹脂、合成樹脂と他の材料を組み合わせた複合材料などの形態保持不可能な素材からなるものとしており、開口端部２ａには支持体Ｓを備えたものとしている。形態保持不可能とは、外袋体２を柔軟性に富むものなどとすると、置いておいたり、持ち運んだりするときに、勝手に倒れるなどして外袋体２本来の形態を保持しておくことができないことをいう。したがって、この外袋体２は、不使用時には収納ケース１を外しておけば、折り畳むなどして嵩を低くした状態で保管しておける。また、前記外袋体２の前面や側面には、ドライバー、スパナ、ペンチなどの各種の工具を収納するポケット（図示せず）を必要に応じて設けたものとすることができる。なお、前記外袋体２は、形態保持不可能な素材からなるものとしているが、前記収納ケース１を保持した状態では、この収納ケース１によって形態保持可能なものとなるので、使用中は型崩れすることはない。
【００１８】
前記収納ケース１の開口端部１ａと前記外袋体２の開口端部２ａとを着脱自在にするには、全体もしくは少なくとも先端部４ａを面接着ファスナー５の一方５ａとした摘まみ片４の後端部４ｂを、前記収納ケース１の開口端部１ａに縫着したり、リベット止めするなどして固定し、面接着ファスナー５の他方５ｂを前記外袋体２の開口端部２ａに接着するなどして固定したものとし、面接着ファスナー５の一方５ａと他方５ｂを着脱自在に接着するようにしている。なお、前記面接着ファスナー５の一方５ａまたは他方５ｂとは、例えばフック体を設けた着脱片やループ体を設けた着脱片の一方または他方のことであるが、一方または他方をいずれもフック体やループ体を混在させて設けた着脱片としてもよい。また、前記面接着ファスナー５に代えて、ホックとボタンを組み合わせたものとすることもできる。すなわち、前記摘まみ片４の先端部４ａにホックまたはボタンの一方を取り付け、前記外袋体２の開口端部２ａに前記ホックまたはボタンの他方を取り付けることにより、前記収納ケース１の開口端部１ａと前記外袋体２の開口端部２ａとを着脱自在に係合することもできる。この発明の道具入れは、このような構造により、作業時における前記外袋体２に挿入された収納ケース１のその外袋体２からの脱落が防止されると共に、前記摘まみ片４を摘まみ上げることにより、外袋体２から収納ケース１を抜いて取り出し、他の収納ケース１に入れ替えることもできる。また、収納ケース１は、不使用時には外袋体２から取り出しておけば、物品を収納したまま棚などに整理分類して保管しておくことができる。
【００１９】
前記外袋体２の支持体Ｓは、図１〜６に示したものでは手提げ１１としている。この手提げ１１は、図示したように、手提げ端部を外袋体２の両側面に縫着したものとしたり、図示していないが、手提げ端部に連結環を設け、この連結環を外袋体２の両側面に設けたナス環に連結したものなどとしている。さらに、前記手提げ１１は、図示したものではベルト形状にしているが、ロープ形状にするなど適宜の形態とすることができる。また、図４に示したように、前記外袋体２を、二個の収納ケース１を背中合わせにした状態で収納できるように、二倍の大きさにしたものとしたり、図５に示したように、前記外袋体２を有底円筒状とし、この外袋体２に有底円筒状とした収納ケース１を収納できるようにしたり、図６に示したように、前記外袋体２を有底円筒状とし、垂直方向に三等分した区画部を設け、水平断面を略扇形とした有底筒状の収納ケース１を前記区画部にそれぞれ収納できるようにすることができる。なお、図示した外袋体２には、ポケットを設けたものとしていないが、必要に応じて外袋体２の前面や側面にポケットを設けたものにしてもよいのはいうまでもない。この発明の道具入れは、このようにすることにより、電気工事や建築工事などの各種の工事を行う場合、工事現場の手の届く所など引っ掛けておけるので作業がし易くなり、また作業者が手に提げることもできるので運搬するのにも好都合なものとなる。
【００２０】
また、前記外袋体２の支持体Ｓは、図７に示したものでは前掛け１２としている。この支持体Ｓを前掛け１２とした場合には、図示したように、外袋体２の背面を前掛け１２の適宜箇所に縫着しているが、係止具（図示せず）を用いて係止するなどしてもよい。そして、前掛け１２には、首紐１２ａや胴紐１２ｂが設けられており、作業者の首に首紐１２ａを掛け、胴に胴紐１２ｂを縛りつけて、身に付けるようにしている。なお、図示した外袋体２には、ポケットを設けたものとしていないが、必要に応じて外袋体２の前面や側面にポケットを設けたものにしてもよいのはいうまでもない。この発明の道具入れは、このようにすることにより、電気工事や建築工事などの各種の工事を行う場合、作業者が身に付けた状態で使用することができる。
【００２１】
さらに、前記外袋体２の支持体Ｓは、図８に示したものではベストなどの衣服１３としている。この支持体Ｓを衣服１３とした場合には、図示したように、外袋体２の背面を衣服１３の胸や腰にあたる部分などの適宜箇所に縫着しているが、係止具（図示せず）を用いて係止するなどしてもよい。そして、作業者が衣服１３を着用し、衣服１３の前をファスナーなどで閉じることにより、身に付けるようにしている。なお、図示した外袋体２は、ポケットを設けたものとしていないが、必要に応じて外袋体２の前面や側面にポケットを設けたものとしてもよいのはいうまでもない。この発明の道具入れは、このようにすることにより、電気工事や建築工事などの各種の工事を行う場合、作業者が身に付けた状態で使用することができる。
【００２２】
以上のように構成したこの発明の道具入れは、いずれの実施形態においても、収納ケース１を外装体２に挿入する。そして、収納ケース１に、電気工事や建築工事などにおけるその工事の種類に応じて必要な配線器具、金物、補修・結束具、釘、ネジ類などの物品を収納する。
【００２３】
例えば、電気工事において配線工事を行う場合には、先ず、収納ケース１を外袋体２に挿入し、収納ケース１の開口端部１ａに固定した摘まみ片４の面接着ファスナー５の一方５ａを、外袋体２の開口端部２ａに固定した面接着ファスナー５の他方５ｂに接着させる。そして、収納ケース１に、その配線工事に応じた物品を収納する。すると、外袋体２に挿入した収納ケース１は、配線工事の作業時に何かの拍子に、引き抜く方向に力が作用しても外袋体２から抜け落ちるようなことがない。
【００２４】
そして、配線工事に続いて電設工事を行う場合には、摘まみ片４を摘んで引き上げることにより、前記面接着ファスナー５の一方５ａと他方５ｂの接着を外すと共に、そのまま摘まみ片４を摘んでさらに引き上げることにより、配線工事に応じた物品を収納しておいた収納ケース１を外袋体２から引き抜く。そして、電設工事に応じた物品を収納しておいた別の収納ケース１を外袋体２に挿入し、再び収納ケース１の開口端部１ａに固定した摘まみ片４の面接着ファスナー５の一方５ａを、外袋体２の開口端部２ａに固定した面接着ファスナー５の他方５ｂに接着させる。このようにすれば、外袋体２に挿入した収納ケース１を簡単に入れ替えることができる。
【００２５】
したがって、この発明の道具入れでは、収納ケース１の中身をその工事に応じた物品に入れ替える場合にも、収納ケース１に手を差し込まなくてもよいので、作業者が手に怪我をすることがなく、その物品の入れ替えが非常に簡単に行えるものとなる。さらに、この発明の道具入れでは、ビット、釘、ナイフなどの鋭利な物品を収納した場合に、これら物品の鋭利な部分が接触したとしても、収納ケース１を損傷しにくい金属または合成樹脂などからなるものとしているので、底が破れたり、抜けてしまったりすることがなく耐久性に優れたものとなる。
【図面の簡単な説明】
【００２６】
【図１】この発明の道具入れの一実施形態を示す斜視図である。
【図２】図１に示すこの発明の道具入れの分解斜視図である。
【図３】図１に示すこの発明の道具入れの縦断面図である。
【図４】この発明の道具入れの他の実施形態を示す斜視図である。
【図５】この発明の道具入れのさらに他の実施形態を示す分解斜視図である。
【図６】この発明の道具入れのさらに他の実施形態を示す分解斜視図である。
【図７】この発明の道具入れのさらに他の実施形態を示す斜視図である。
【図８】この発明の道具入れのさらに他の実施形態を示す分解斜視図である。
【図９】従来のバッグの斜視図である。
【図１０】従来のバッグに用いられるコイルばねの斜視図である。
【符号の説明】
【００２７】
１  収納ケース
１ａ  開口端部
２  外袋体
２ｂ  開口端部
４  摘まみ片
４ａ  先端部
４ｂ  後端部
５  面接着ファスナー
５ａ  一方
５ｂ  他方
１１  手提げ
１２  前掛け
１３  衣服
Ｓ  支持体
【図１】
2007135992.tif 000003
【図２】
2007135992.tif 000004
【図３】
2007135992.tif 000005
【図４】
2007135992.tif 000006
【図５】
2007135992.tif 000007
【図６】
2007135992.tif 000008
【図７】
2007135992.tif 000009
【図８】
2007135992.tif 000010
【図９】
2007135992.tif 000011
【図１０】
2007135992.tif 000012